(57)【要約】    【課題】  部品点数が少なく、組立工数の少ない状態で複数系統の固体撮像素子を簡易かつ安価に搭載することが可能な電気回路複合モジュールを提供する。    【解決手段】  少なくとも２系統以上の固体撮像素子１及びその電子回路ブロックを共通の配線板２の上に間隔を隔てて電気的に接続配置するとともに、前記配線板２を折り曲げ可能に構成し、部品点数の少ない状態において前記各固体撮像素子１の相互配置に自由度を持たせたものである。【選択図】    図１
2005057515.tif 000002
【特許請求の範囲】
【請求項１】
少なくとも２系統以上の固体撮像素子及びその電子回路ブロックを共通の配線板上に間隔を隔てて電気的に接続配置してなり、前記配線板を折り曲げ可能に構成したことを特徴とする電気回路複合モジュール。
【請求項２】
各系統の固体撮像素子は配線板の同一面上に設けられ、配線板の折り曲げにより、各固体撮像素子が任意の方向に向くようにしたことを特徴とする請求項１記載の電気回路複合モジュール。
【請求項３】
配線板は少なくとも２箇所以上の折り曲げ可能箇所を有することを特徴とする請求項１または請求項２に記載の電気回路複合モジュール。
【請求項４】
少なくとも２系統以上の固体撮像素子及びその電子回路ブロックを共通の配線板上に間隔を隔てて電気的に接続配置してなり、前記配線板を折り曲げ可能に構成し、かつ、その折り曲げ軸に対して、折り曲げを規制する規制部品を接合したことを特徴とする電気回路複合モジュール。
【請求項５】
規制部品は、熱収縮性を有する材料により熱収縮性を有さない材料を囲繞するように構成されると共に、前記熱収縮性のある材料の一部は前記配線板に接合されており、熱収縮性材料が収縮した時、これに付随して配線板が折り曲げられるようにしたことを特徴とする請求項４記載の電気回路複合モジュール。
【請求項６】
規制部品は、任意の温度で任意の形状に変形可能な形状記憶材料であり、その加熱による形状変形により配線板が折り曲げられるようにしたことを特徴とする請求項４記載の電気回路複合モジュール。
【請求項７】
配線板は少なくとも２箇所以上の折り曲げ可能箇所を有し、規制部品は前記折り曲げ可能箇所にそれぞれ接合されており、これら各規制部品の変形する温度差は２０℃以上に設定されていることを特徴とする請求項４記載の電気回路複合モジュール。
【発明の詳細な説明】
【技術分野】
【０００１】
本発明は、固体撮像装置を電気的に接合した配線板等の電気回路複合モジュールに関するものであり、その小型化、薄型化、製造工程の省力化を図ったものである。
【背景技術】
【０００２】
近年、非特許文献１に記載されているように、携帯電話などの電子機器は高機能化に伴う機能モジュールの増加する中、低容積化が要求され、さらにマルチメディア用画像入力装置としてのカメラの搭載が脚光を浴びてきている。この種のカメラは搭載する機器の関係で、多数のカメラを一つの機器に搭載することが要求されることから、より薄型であることが必要である。
【０００３】
以下図面を参照しながら、従来の電気回路複合モジュールについて説明する。図９は従来の電気回路複合モジュールの一例を示す斜視図であり、２つの固体撮像素子を搭載した電気回路複合モジュールを示している。
【０００４】
図９において、１は固体撮像素子、２はフレキシブルプリント回路基板等よりなる配線板、９は電気回路基板である。まず、配線板２に固体撮像素子１を実装する。この例の場合、固体撮像素子１を実装した配線板２を一対２個製作し、その後、これら一対の配線板２を電気回路基板９に対して、固体撮像素子１の向きが逆向きになるように電気的に接合したものである。なお、配線板２を折り曲げる必要のある場合は、組み立て工程においての折り曲げ作業は人手かロボットによって行われるのが普通である。
【非特許文献１】日経エレクトロニクス、２００２年１２月１６日号、Ｎｏ．８３７、ｐ．５７〜６４
【発明の開示】
【発明が解決しようとする課題】
【０００５】
しかしながら、このような構成では、電気回路複合モジュールを構成する部品の数が多く、また、個別に構成したモジュールをさらに電気的に接合するため、組み立て工程が複雑になるという問題点を有していた。また、組み立て工程においては折り曲げ工程が入る場合は設備や人が必要であり、組み立てコストが増加するという問題点を有していた。
【０００６】
本発明は上記従来の問題点を解決するものであり、部品点数が少なく、組立工数の少ない状態で複数系統の固体撮像素子を簡易かつ安価に搭載することが可能な電気回路複合モジュールを提供することを目的とする。
【課題を解決するための手段】
【０００７】
本発明の電気回路複合モジュールは、少なくとも２系統以上の固体撮像素子及びその電子回路ブロックを共通の配線板上に間隔を隔てて電気的に接続配置し、前記配線板を折り曲げ可能に構成したものである。
【０００８】
この発明によれば、部品点数が少なく、組立工数の少ない状態で複数系統の固体撮像素子を簡易かつ安価に搭載することが可能な電気回路複合モジュールを実現することができる。
【発明の効果】
【０００９】
以上のように、本発明によれば、一つの配線板に複数個の固体撮像素子を片面に実装し、その配線板を折り曲げるだけで、種々の固体撮像素子配置、組み合わせが実現でき、また、配線板を所定の形態に折り曲げる位置に規制部品を装着したことにより、電子部品実装後の加熱工程で任意の方向に任意の順番で配線板を折り曲げることが可能となる等折り曲げ作業工程を大幅に削減することができるという有利な効果が得られる。
【発明を実施するための最良の形態】
【００１０】
以下、本発明の各実施の形態について図面を参照しながら説明する。なお、前記従来のものと同一の部分については同一符号を用いるものとする。
【００１１】
（実施の形態１）
図１は本発明の電気回路複合モジュールの実施の形態１における要部の基本構成を示す斜視図、図２は図１に示した電気回路複合モジュールの各折り曲げ加工形態を示す斜視図である。
【００１２】
図１，図２において、１は固体撮像素子、２はフレキシブルプリント回路基板等よりなる配線板であり、配線板２の片面に系統の異なる固体撮像素子１を２個、間隔を隔てて関連する電子回路ブロックと共に実装した構成である。
【００１３】
以上のように構成された電気回路複合モジュールについて、以下、その後の加工形態を説明する。
【００１４】
まず、図２（ａ）に示すように配線板２を折り曲げれば、固体撮像素子１の方向を同一軸方向逆向きに向けて機器に搭載する場合の加工形態が可能であり、また、図２（ｂ）に示すように配線板２を折り曲げ、固体撮像素子１の方向を逆向きにし、さらに、固体撮像素子１の中心軸を平行にずらして配置することで、固体撮像素子１の一つ分の高さに２個の固体撮像素子を搭載できる加工形態が得られ、さらにまた、図２（ｃ）に示すように配線板２を折り曲げ、固体撮像素子１の方向を逆向きにし、さらに、固体撮像素子１の中心軸を平行にずらした図２（ｂ）に示したものと同様、固体撮像素子１の一つ分の高さに２個の固体撮像素子１を搭載できる他の加工形態が得られる等、部品点数が少ない状態で固体撮像素子１をかなりの範囲において自由度の有る形態に加工することができる。
【００１５】
以上のように、本実施の形態によれば、同一配線板上に、これと電気的に接続された複数系統の固体撮像素子を所定の間隔を隔て、かつその撮影方向が同一方向を向くように配置することにより、部品点数が少ない状態で、配線板を所定の形態に折り曲げることにより、固体撮像素子が同一方向を向くような加工形態や、反対方向を向くような加工形態、さらには薄型になるような加工形態などかなりの範囲において自由度の有る形態に容易に加工することができる。
【００１６】
（実施の形態２）
実施の形態１においては配線板の折り曲げがその実施において重要なポイントであり、本実施の形態はこの折り曲げの容易化を図り得る構成を付加したものである。
【００１７】
図３は本発明の電気回路複合モジュールの実施の形態２における要部の基本構成を示す斜視図、図４は図３に示す電気回路複合モジュールの折り曲げ加工後の形態を示す斜視図、図５は図３に示す電気回路複合モジュールに用いられる折り曲げ角度等を規制する規制部品の一例を示す説明図であり、図５（ａ）はその構成を示す斜視図、図５（ｂ）は図５（ａ）の規制部品を配線板に装着した状態を示す斜視図、図５（ｃ）及び図５（ｄ）は規制動作の説明図、図６は図５に示す規制部品を他の配線板に装着した場合の構成例とその規制動作を示す斜視図、図７は図３に示す電気回路複合モジュールに用いられる規制部品の他の例を示す説明図であり、図７（ａ）はその構成を示す斜視図、図７（ｂ）は図７（ａ）の規制部品を配線板に装着した状態を示す斜視図、図７（ｃ）及び図７（ｄ）は規制動作の説明図、図８は図７に示す規制部品を他の配線板に装着した場合の構成例とその規制動作を示す斜視図である。
【００１８】
図３及び図４において、１は固体撮像素子、２はフレキシブルプリント回路基板等よりなる配線板で、前記実施の形態１との相違点は、配線板２の折り曲げ位置に後述の規制部品３を設けた点である。
【００１９】
以下、この規制部品３の構成について説明する。
【００２０】
図５（ａ）において、４は形状記憶合金、５は接着材であり、これらにより規制部品３を構成している。この規制部品３を図５（ｂ）に示すように配線板２の上に実装し、接着剤５により固定した後、基板全体に熱を加えることによって形状記憶合金４が図５（ｃ）に示す状態から図５（ｄ）に示すように所定の角度に変形し、配線板２を折り曲げることができる。したがって規制部品３を基板の折り曲げ軸に配置することによって任意の方向に所定の角度で折り曲げることができることになる。
【００２１】
この機能を応用すれば、例えば図６（ａ）に示すような形状の配線板２の折り曲げ軸位置に規制部品３を装着し、その後、基板全体に後述のように傾斜的に熱を加えることによって配線板２はまず、図６（ｂ）のように矢印Ｘ方向に折りたたまれ、次に図６（ｃ）のように矢印Ｙ方向に折りたたまれる。すなわち、形状記憶合金４がそれぞれの変形を開始する温度によって順次任意の形状に変形し、配線板２を任意の順番で、任意の角度に折り曲げることができる。上記の通り各形状記憶合金４には傾斜的に熱を加えるのであるが、各形状記憶合金４が変形を開始する温度の温度差として例えば２０℃程度順次高く（低く）なるように設定すれば前記の折り曲げはスムースに行われる。なお、以上の説明では規制部品３の数を２個としたが３個以上複数個搭載してもよい。
【００２２】
この規制部品３としては種々の変形例が考えられるが、他の一例について図７，図８を参照して説明する。
【００２３】
図７（ａ）において、６は熱収縮層で、熱により収縮する材料、好ましくはナイロン、ポリオフィレンにより構成される。７は熱収縮層６に囲繞される非熱収縮層で好ましくはセラミックスである。セラミックスは熱膨張率が低いため、曲げ半径を正確に規制できる点から好ましい。８は接着剤層である。このように構成された規制部品３の実装位置を折り曲げ軸に配置することによって任意の方向に所定の角度で折り曲げることができることになる。すなわち、図７（ｂ）に示すように配線板２の上に規制部品３を実装し、接着剤層８により接合固定した後、基板全体に熱を加えることによって規制部品３は図７（ｃ）に示す状態から図７（ｄ）に示すように、熱収縮層６，非熱収縮層７がそれぞれの温度によって収縮，膨張して所定の角度に変形し、配線板２を折り曲げることができる。したがって規制部品３の実装位置を配線板２の折り曲げ軸位置に配置することによって任意の方向に所定の角度で折り曲げることができる。
【００２４】
この機能を応用すれば、図５に示したものと同様、例えば図８（ａ）に示すような形状の配線板２の折り曲げ軸位置に規制部品３を装着し、その後、基板全体に傾斜的に熱を加えることによって配線板２は図８（ｂ）のように矢印Ｘ方向に折りたたまれ、次に図８（ｃ）のように矢印Ｙ方向に折りたたまれる。すなわち、熱収縮層６，非熱収縮層７がそれぞれの所定温度によって収縮膨張し、これに基づく変形開始温度によって任意所望の形状に変形し、配線板２を任意の順番で、任意の角度に折り曲げることができる。傾斜的に熱を加える場合の温度差として各規制部品３に対して例えば２０℃程度順次高く（低く）なるように設定すれば前記の折り曲げはスムースに行われる。なお、以上の説明では規制部品３の数を２個としたが３個以上複数個搭載してもよい。
【００２５】
以上のように、本実施の形態によれば、前記実施の形態１の構成に加えて配線板を所定の形態に折り曲げる位置に規制部品を装着したことにより、固体撮像素子が同一方向を向くような加工形態や、反対方向を向くような加工形態、さらには薄型になるような加工形態などかなりの範囲において自由度の有る形態に極めて容易に加工することができ、折り曲げ加工工数を大幅に削減できる。
【産業上の利用可能性】
【００２６】
本発明にかかる電気回路複合モジュールは一つの配線板に複数個の固体撮像素子を片面に実装し、その配線板を折り曲げるだけで、種々の固体撮像素子配置、組み合わせが実現でき、また、配線板を所定の形態に折り曲げる位置に規制部品を装着したことにより、電子部品実装後の加熱工程で任意の方向に任意の順番で配線板を折り曲げることが可能となる等折り曲げ作業工程を大幅に削減することができる効果を有し、固体撮像装置を電気的に接合した配線板等の電気回路複合モジュール等として有用である。
【図面の簡単な説明】
【００２７】
【図１】本発明の電気回路複合モジュールの実施の形態１における要部の基本構成を示す斜視図
【図２】図１に示した電気回路複合モジュールの各折り曲げ加工形態を示す斜視図
【図３】本発明の電気回路複合モジュールの実施の形態２における要部の基本構成を示す斜視図
【図４】図３に示す電気回路複合モジュールの折り曲げ加工後の形態を示す斜視図
【図５】図３に示す電気回路複合モジュールに用いられる折り曲げ角度等を規制する規制部品の一例を示す説明図
【図６】図５に示す規制部品を他の配線板に装着した場合の構成例とその規制動作を示す斜視図
【図７】図３に示す電気回路複合モジュールに用いられる規制部品の他の例を示す説明図
【図８】図７に示す規制部品を他の配線板に装着した場合の構成例とその規制動作を示す斜視図
【図９】従来の電気回路複合モジュールの一例を示す斜視図
【符号の説明】
【００２８】
１  固体撮像素子
２  配線板
３  規制部品
４  形状記憶合金
５  接着材
６  熱収縮層
７  非熱収縮層
８  接着剤層
９  電気回路基板
【図１】
2005057515.tif 000003
【図２】
2005057515.tif 000004
【図３】
2005057515.tif 000005
【図４】
2005057515.tif 000006
【図５】
2005057515.tif 000007
【図６】
2005057515.tif 000008
【図７】
2005057515.tif 000009
【図８】
2005057515.tif 000010
【図９】
2005057515.tif 000011